【手続補正書】
【提出日】平成24年6月14日(2012.6.14)
【手続補正１】
【補正対象書類名】特許請求の範囲
【補正対象項目名】全文
【補正方法】変更
【補正の内容】
【特許請求の範囲】
【請求項１】
断熱シートであって、
（ａ）  赤外線波長域で反射し、かつ以下の
（ａ．１）  少なくとも１つのアキラルネマチック重合性モノマーと少なくとも１つのキラル重合性モノマーとを含んだ組成物；または
（ａ．２）  少なくとも１つのコレステリック重合性モノマーを含んだ組成物；または
（ａ．３）  少なくとも１つのコレステリック架橋性ポリマーを含んだ組成物；または
（ａ．４）  重合性希釈剤中少なくとも１つのコレステリックポリマーを含んだ組成物；または
（ａ．５）  これらの組成物のうち少なくとも２つの組成物の混合物；
の硬化によって得られる、硬化された形の少なくとも１つの液晶層と、
（ｂ）  場合により少なくとも１つの支持シート；
（ｃ）  場合により少なくとも１つの液晶層と接触する少なくとも１つの配向層；
（ｄ）  場合により少なくとも１つのλ／２波長シート；
（ｅ）  場合により少なくとも１つの接着層、保護層および／または剥離層と
を含む断熱シート。
【請求項２】
７５１〜２０００ｎｍの波長域において、入射する放射の少なくとも４０％、好ましくは少なくとも４５％を反射する、請求項１に記載の断熱シート。
【請求項３】
３９０〜７５０ｎｍの波長域において、入射する放射の少なくとも８０％、好ましくは少なくとも９５％の透過率を有する、請求項１または２のいずれか１項に記載の断熱シート。
【請求項４】
３９０〜７５０ｎｍの波長域に少なくとも１つの反射帯極大を有する、請求項１または２のいずれか１項に記載の断熱シート。
【請求項５】
（ａ）  赤外線波長域で反射し、かつ以下の
（ａ．１）  少なくとも１つのアキラルネマチック重合性モノマーと少なくとも１つのキラル重合性モノマーとを含んだ組成物；または
（ａ．２）  少なくとも１つのコレステリック重合性モノマーを含んだ組成物；または
（ａ．３）  少なくとも１つのコレステリック架橋性ポリマーを含んだ組成物；または
（ａ．４）  重合性希釈剤中少なくとも１つのコレステリックポリマーを含んだ組成物；または
（ａ．５）  これらの組成物のうちの少なくとも２つの組成物の混合物
の硬化によって得られる、硬化された形の少なくとも１つの液晶層と、
（ｂ）  場合により少なくとも１つの支持シート；
（ｃ）  場合により少なくとも１つの液晶層と接触する少なくとも１つの配向層；
（ｄ）  場合により少なくとも１つのλ／２波長シート；
（ｅ）  場合により少なくとも１つの接着層、保護層および／または剥離層；
（ｆ）  ３５０〜７５０ｎｍの波長域で反射し、かつ以下の
（ｆ．１）  少なくとも１つのアキラルネマチック重合性モノマーと少なくとも１つのキラル重合性モノマーとを含んだ組成物；または
（ｆ．２）  少なくとも１つのコレステリック重合性モノマーを含んだ組成物；または
（ｆ．３）  少なくとも１つのコレステリック架橋性ポリマーを含んだ組成物；または
（ｆ．４）  重合性希釈剤中少なくとも１つのコレステリックポリマーを含んだ組成物；または
（ｆ．５）  これらの組成物のうちの少なくとも２つの組成物の混合物
の硬化によって得られる、硬化された形の少なくとも１つの液晶層と
を含む、請求項１、２または４のいずれか１項に記載の断熱シート。
【請求項６】
硬化された形の液晶層（ａ）として、硬化された組成物（ａ．１）が使用される、請求項１から５までのいずれか１項に記載の断熱シート。
【請求項７】
硬化された形の液晶層（ｆ）として、硬化された組成物（ｆ．１）が使用される、請求項１から６までのいずれか１項に記載の断熱シート。
【請求項８】
少なくとも１つのアキラルネマチック重合性モノマーが
（ｉ）式Ｉ
Ｚ1−（Ｙ1−Ａ1）v−Ｙ2−Ｍ−Ｙ3−（Ａ2−Ｙ4）w−Ｚ2  （Ｉ）
［式中、
Ｚ1、Ｚ2は重合を媒介し得る同一のまたは異なった反応基ないしその種の反応基を含んだ基（ここで、反応基は、Ｃ＝Ｃ−二重結合、Ｃ≡Ｃ−三重結合、オキシラン基、チイラン基、アジラン基、シアネート基、チオシアネート基、イソシアネート基、カルボン酸基、ヒドロキシ基またはアミノ基から、好ましくはＣ＝Ｃ−二重結合から選択される）を表し、
Ｙ1、Ｙ2、Ｙ3、Ｙ4は、互いに独立に、化学結合、−Ｏ−、−Ｓ−、−ＣＯ−Ｏ−、−Ｏ−ＣＯ−、−Ｏ−ＣＯ−Ｏ−、−ＣＯ−Ｓ−、−Ｓ−ＣＯ−、−ＣＯ−Ｎ（Ｒa）−、−Ｎ（Ｒ3）−ＣＯ−、−Ｎ（Ｒa）−ＣＯ−Ｏ−、−Ｏ−ＣＯ−Ｎ（Ｒa）−、−Ｎ（Ｒa）−ＣＯ−Ｎ（Ｒa）−、−ＣＨ2−Ｏ−、−Ｏ−ＣＨ2−、好ましくは−ＣＯ−Ｏ−、−Ｏ−ＣＯ−または−Ｏ−ＣＯ−Ｏ−（ここで、Ｒaは水素またはＣ1−Ｃ4−アルキル基を表す）を表し、
Ａ1、Ａ2は、直鎖Ｃ2−Ｃ30−アルキレン基、好ましくは、酸素、硫黄および／または場合により単置換された窒素によって中断されていてよいＣ2−Ｃ12−アルキレン基（ここで、これらの中断基は隣接していてはならず、好適なアミン置換基はＣ1−Ｃ4−アルキル基を含み、アルキレン鎖はフッ素、塩素、臭素、シアノ基、メチル基またはエチル基によって置換されていてよい）から選択された同一のまたは異なったスペーサを表し、特に好ましくはＡ1およびＡ2は−（ＣＨ2）n−（ここでｎ＝２〜６である）を表し、
ｖおよびｗは、互いに独立に、０、１または２を表し、
Ｍは、一般式ＩＩ
（Ｔ1−Ｙ5）yＴ2  （ＩＩ）
（式中、
いずれのＴ1も独立に、２価の脂環式基、飽和または部分不飽和のへテロ環式基、芳香族基またはヘテロ芳香族基を表し、
Ｔ2は独立に、Ｔ1と同様に定義され、
Ｙ5は同一のまたは異なった架橋構造−ＣＯ−Ｏ−、−Ｏ−ＣＯ−、−ＣＨ2−Ｏ−、−Ｏ−ＣＨ2−、−ＣＯ−Ｓ−、−Ｓ−ＣＯ−、−ＣＨ2−Ｓ−、−Ｓ−ＣＨ2−、−ＣＨ＝Ｎ−、−Ｎ＝ＣＨ−、−ＣＨ＝Ｎ−Ｎ＝ＣＨ−、−Ｃ≡Ｃ−、−ＣＨ＝ＣＨ−、−Ｃ（ＣＨ3）＝ＣＨ2、−ＣＨ＝ＣＨ（ＣＨ3）−または直接結合、好ましくは−ＣＯ−Ｏ−または−Ｏ−ＣＯ−を表し、
ｙは０、１、２または３、好ましくは０、１または２、とりわけ１または２、特に２を意味する）のメソゲン基を意味する］の少なくとも１つの二官能重合性アキラルネマチックモノマー、および
（ｉｉ）場合により式ＩＩＩａまたはＩＩＩｂ
Ａ3−Ｙ2−Ｍ−Ｙ3−（Ａ2−Ｙ4）w−Ｚ2  （ＩＩＩａ）
Ｚ1−（Ｙ1−Ａ1）v−Ｙ2−Ｍ−Ｙ3−Ａ3  （ＩＩＩｂ）
［式中、
Ｚ1、Ａ1、Ｙ1、Ｙ2、Ｙ3、Ｙ4、ｖ、ｗおよびＭは独立に、式Ｉに関して述べた意味を有し、
Ａ3は、直鎖Ｃ1−Ｃ30−アルキル基、好ましくは、酸素、硫黄および／または場合により単置換された窒素で中断されていてよい直鎖Ｃ1−Ｃ12−アルキル基（ここで、これらの中断基は隣接していてはならず、好適なアミン置換基はＣ1−Ｃ4−アルキル基を含み、アルキル基はフッ素、塩素、臭素、シアノ基、メチル基またはエチル基で置換されていてよい）を表すか、またはＣＮまたは−Ｎ＝Ｃ＝Ｓを表す］の少なくとも１つの一官能重合性アキラルネマチックモノマーを含み、かつ
少なくとも１つのキラル重合性モノマーは式ＩＶ
［（Ｚ1−Ｙ1）o−Ａ4−Ｙ2−Ｍ−Ｙ3］nＸ［Ｙ3−Ｍ−Ｙ2−Ａ5−（Ｙ1−Ｚ1）p］m  （ＩＶ）
［式中、
Ｚ1、Ｙ1、Ｙ2、Ｙ3およびＭは上記と同様に定義され、
ｏ、ｐは０または１（ここで、ｏおよびｐは同時に０を表してはならない）を表し、
Ａ4およびＡ5は等しいか、または異なっており、かつ
Ａ4は、ｏ＝１であれば、Ａ1と同様に定義され、または、ｏ＝０であれば、直鎖Ｃ1−Ｃ30−アルキル基、好ましくは、酸素、硫黄および／または場合により単置換された窒素で中断されていてよいＣ1−Ｃ12−アルキル基（ここで、これらの中断基は隣接していてはならず、好適なアミン置換基はＣ1−Ｃ4−アルキル基を含み、アルキル基はフッ素、塩素、臭素、シアノ基、メチル基またはエチル基で置換されていてよい）を表し、Ａ4は特に好ましくはＣＨ3（ＣＨ2）ｌ基（ここで、ｌ＝１〜７である）を表し、
Ａ5は、ｐ＝１であれば、Ａ1と同様に定義され、または、ｐ＝０であれば、直鎖Ｃ1−Ｃ30−アルキル基、好ましくは、酸素、硫黄および／または場合により単置換された窒素で中断されていてよいＣ1−Ｃ12−アルキル基（ここで、これらの中断基は隣接していてはならず、好適なアミン置換基はＣ1−Ｃ4−アルキル基を含み、アルキル基はフッ素、塩素、臭素、シアノ基、メチル基またはエチル基で置換されていてよい）を表し、Ａ5は特に好ましくはＣＨ3（ＣＨ2）ｌ基（ここで、ｌ＝１〜７である）を表し、
ｎ、ｍは０、１または２（ここで、和ｎ＋ｍは１または２であり、好ましくは２である）を表し、
Ｘはキラル基を表す］を有する、請求項１から７までのいずれか１項に記載の断熱シート。
【請求項９】
Ｔ1が、以下の構造
【化１】
2011525154.tif 000001
［式中、
Ｒbは、フッ素、塩素、臭素、Ｃ1−Ｃ20−アルキル基、Ｃ1−Ｃ10−アルコキシ基、Ｃ1−Ｃ10−アルキルカルボニル基、Ｃ1−Ｃ10−アルキルカルボニルオキシ基、Ｃ1−Ｃ10−アルコキシカルボニル基、ヒドロキシ基、ニトロ基、ＣＨＯまたはＣＮ、好ましくは塩素、臭素、Ｃ1−Ｃ4−アルキル基またはＣ1−Ｃ4−アルコキシカルボニル基、とりわけメチル基またはメトキシカルボニル基を表し、
ｘは０、１、２、３または４を表す］を有する、請求項８に記載の断熱シート。
【請求項１０】
Ｔ2が、以下の構造
【化２】
2011525154.tif 000002
［式中、
Ｒbおよびｘは独立に、請求項９と同様に定義されている］から選択される、請求項８または９のいずれか１項に記載の断熱シート。
【請求項１１】
Ｘが、以下
【化３】
2011525154.tif 000003
から選択される、請求項８から１０までのいずれか１項に記載の断熱シート。
【請求項１２】
少なくとも１つの二官能重合性アキラルネマチックモノマーが、式Ｉ．ａ、Ｉ．ｂ
【化４】
2011525154.tif 000004
の化合物およびそれらの混合物から選択される、請求項８から１１までのいずれか１項に記載の断熱シート。
【請求項１３】
少なくとも１つのキラル重合性モノマーが、式ＩＶ．ａ、ＩＶ．ｂ、ＩＶ．ｃ
【化５】
2011525154.tif 000005
の化合物およびそれらの混合物から選択される、請求項８から１２までのいずれか１項に記載の断熱シート。
【請求項１４】
少なくとも１つの液晶層が、キラル重合性モノマーとして式ＩＶ．ｃの化合物を含んだ組成物（ａ．１）または（ｆ．１）から得られる、請求項８から１３までのいずれか１項に記載の断熱シート。
【請求項１５】
赤外線波長域で反射する硬化された形の少なくとも２つの液晶層を含む、請求項１から１４までのいずれか１項に記載の断熱シートであって、少なくとも前記２つの層は少なくとも１組の層の対を含み、この層の対の２層は類似の赤外線波長域を反射すると共に、この層の対の２層はそれらのキラリティーが相違している断熱シート。
【請求項１６】
硬化された形の少なくとも２つの液晶層を含む、請求項１から１５までのいずれか１項に記載の断熱シートであって、少なくとも２つの層はそれぞれ異なった赤外線波長域で反射する断熱シート。
【請求項１７】
少なくとも２組の層の対を含む、請求項１５または１６のいずれか１項に記載の断熱シートであって、これらの層の対の２つの層は類似の赤外線波長域を反射するが、それらのキラリティーは相違し、異なった層の対の層はそれぞれ異なった赤外線波長域で反射する断熱シート。
【請求項１８】
硬化された形の２つの液晶層からなる少なくとも１組の層の対を含む、請求項１から１７までのいずれか１項に記載の断熱シートであって、これらの２層はそれぞれ類似の赤外線波長域で反射すると共に、同一のキラリティーを有し、これらの２つ層の間にλ／２波長シートが配されている断熱シート。
【請求項１９】
少なくとも１つの支持シートが、ポリエチレンテレフタレート、ポリエチレンナフタレート、ポリビニルブチラール、ポリビニルクロリド、軟質ポリビニルクロリド、ポリメチルメタクリレート、ポリ（エチレン−コ−ビニルアセテート）、ポリカーボネート、セルローストリアセテート、ポリエーテルスルホン、ポリエステル、ポリアミド、ポリオレフィンおよびアクリル樹脂からなるシートから選択される、請求項１から１８までのいずれか１項に記載の断熱シート。
【請求項２０】
少なくとも１つの支持シートの片側または両側が、少なくとも１つの液晶層と直接または間接に接触していてよい、請求項１から１９までのいずれか１項に記載の断熱シート。
【請求項２１】
少なくとも１つの支持シートと少なくとも１つの液晶層との間および／または少なくとも２つの液晶層の間に、少なくとも１つの配向層が配されている、請求項１から２０までのいずれか１項に記載の断熱シート。
【請求項２２】
少なくとも１つの配向層が、ポリビニルアルコールおよびポリイミドから選択される、請求項１から２１までのいずれか１項に記載の断熱シート。
【請求項２３】
少なくとも１つの支持シートが、接着剤なしで極性表面に付着し得る少なくとも１つの接着シートを含む、請求項１から２２までのいずれか１項に記載の断熱シート。
【請求項２４】
接着シートが、軟質ポリビニルクロリド、自己粘着熱可塑性ポリオレフィンまたはポリメチルメタクリレートで構成されている、請求項２３に記載の断熱シート。
【請求項２５】
少なくとも１つの支持シートが、少なくとも１つの装飾シートを含む、請求項１から２４までのいずれか１項に記載の断熱シート。
【請求項２６】
加えてさらに少なくとも１つの保護層、接着層および／または剥離層を含む、請求項１から２５までのいずれか１項に記載の断熱シート。
【請求項２７】
断熱ラミネートであって、
（１）請求項１から１７までのいずれか１項に定義された硬化された形の少なくとも１つの液晶層；
（２）場合により少なくとも１つの支持材料；
（３）場合により少なくとも１つの配向層；
（４）場合により少なくとも１つのλ／２波長シート；および
（５）場合により少なくとも１つの保護層、接着層および／または剥離層；
を含む断熱ラミネートであって、成分（２）〜（５）のいずれも含まれていない場合、成分（１）は硬化された形の少なくとも２つの液晶層を含む断熱ラミネート。
【請求項２８】
支持材料が、ガラス、透明なポリマー、ガラスと透明なポリマーからなる複合系、不透明なポリマー、金属、セラミックおよび粘土から選択される、請求項２７に記載の断熱ラミネート。
【請求項２９】
ガラスが、窓ガラスまたは外壁ガラス、合わせ板ガラス、断熱ガラス、安全ガラスまたはそれらの混合系である、請求項２８に記載の断熱ラミネート。
【請求項３０】
以下のステップ：
必要であれば、請求項１から２６までのいずれか１項に記載の断熱コーティングのその他の層から、少なくとも１つの支持シートを剥離するステップ、および
必要であれば、少なくとも１つの支持シートから除去された層を微粉砕するステップ
によって得られる顔料。
【請求項３１】
式ＩＶ．ｃの化合物ならびに少なくとも１つのアキラルネマチック重合性モノマーを含む組成物。
【請求項３２】
以下のステップ：
（Ｉ）支持シートを準備し、場合により浄化するおよび／または支持シート表面の方位方向を生成するステップ；
（ＩＩ）場合により、支持シートへ配向層を被着し、場合により浄化するおよび／または配向層の方位方向を生成するステップ；
（ＩＩＩ）場合により、組成物（ｆ．１）、（ｆ．２）、（ｆ．３）、（ｆ．４）または（ｆ．５）を被着し、場合により配向し、組成物を少なくとも部分的に硬化するステップ；
（ＩＶ）場合により、ステップ（ＩＩＩ）で得られた層へ配向層を被着し、場合により浄化するおよび／または配向層の方位方向を生成するステップ；
（Ｖ）組成物（ａ．１）、（ａ．２）、（ａ．３）、（ａ．４）または（ａ．５）を被着し、場合により配向し、組成物を少なくとも部分的に硬化するステップ；
（ＶＩ）場合により、ステップ（Ｖ）で得られた層へ配向層を被着し、場合により浄化するおよび／または配向層の方位方向を生成するステップ；
（ＶＩＩ．１）場合により、ステップ（Ｖ）または（ＶＩ）で得られたシート（層側または支持シート側）へ組成物（ａ．１）、（ａ．２）、（ａ．３）、（ａ．４）または（ａ．５）を被着し、場合により配向し、組成物を少なくとも部分的に硬化するステップ（この場合、ステップ（ＶＩＩ．１）で得られる層はステップ（Ｖ）で得られる層とはキラリティーおよび／または反射される赤外線波長域の点で相違する）；または
（ＶＩＩ．２）場合により、ステップ（Ｖ）で得られた層へλ／２波長シートを被着し、次いで、λ／２波長シートへステップ（Ｖ）と同じ組成物を被着し、場合により配向し、組成物を少なくとも部分的に硬化するステップ；
（ＶＩＩＩ）場合により、ステップ（ＩＩ）〜（ＶＩＩ）を１回以上反復するステップであって、この場合、反復時には、先のステップ（Ｖ）および（ＶＩＩ）および場合により（ＩＩＩ）の組成物とも異なる組成物が使用されるステップ；
（ＩＸ）場合により、ステップ（Ｖ）、（ＶＩＩ）および／または（ＶＩＩＩ）で得られた２つのシートを接着するステップ；
（Ｘ）場合により、ステップ（ＩＸ）で得られた接着されたシートの一方または双方の支持シートを剥離するステップ；
（ＸＩ）場合により、ステップ（ＩＸ）および（Ｘ）を１回以上繰返すステップ；および
（ＸＩＩ）場合により、ステップ（Ｖ）、（ＶＩＩ）、（ＶＩＩＩ）、（Ｘ）または（ＸＩ）で得られた層へ保護層、接着層および／または剥離層を被着するステップ
を含む、請求項１から２６までのいずれか１項に記載の断熱シートの製造方法。
【請求項３３】
以下のステップ：
（ｉ）請求項１から２６までのいずれか１項に記載の定義によるシートを準備するステップ；
（ｉｉ）シートの両側が支持シートまたは保護シートによって閉成されている場合、一方の支持シートまたは保護シートを剥離するステップ；
（ｉｉｉ）新たな支持シートへステップ（ｉ）または（ｉｉ）で準備したシートを被着するステップ；および
（ｉｖ）新たなシートへ層を転写するステップ
を含む、請求項１から２６までのいずれか１項に記載の断熱シートの製造方法。
【請求項３４】
請求項１から２６までのいずれか１項に記載のシート、または請求項３１に記載の組成物を、建造物および輸送手段の熱管理のために用いる使用。
【手続補正２】
【補正対象書類名】明細書
【補正対象項目名】００２７
【補正方法】変更
【補正の内容】
【００２７】
好ましくは、組成物（ａ．１）の少なくとも１つのアキラルネマチック重合性モノマーは多官能重合性、特に二官能重合性を有する。好ましいアキラルネマチック二官能重合性モノマーは一般式Ｉ
Ｚ1−（Ｙ1−Ａ1）v−Ｙ2−Ｍ−Ｙ3−（Ａ2−Ｙ4）w−Ｚ2  （Ｉ）
［式中、
Ｚ1、Ｚ2は重合を媒介し得る、同一のまたは異なった反応基ないしその種の反応基を含んだ基（ここで、反応基は、好ましくはＣ＝Ｃ−二重結合、Ｃ≡Ｃ−三重結合、オキシラン基、チイラン基、アジラン基、シアネート基、チオシアネート基、イソシアネート基、カルボン酸基、ヒドロキシ基またはアミノ基から、好ましくはＣ＝Ｃ−二重結合（これは例えば−ＣＨ＝ＣＨ2または−Ｃ（ＣＨ3）＝ＣＨ2あるいはまた−ＣＨ＝ＣＨ（ＣＨ3）であってもよく、最初に挙げた２つが好ましい）から選択される）を表し、
Ｙ1、Ｙ2、Ｙ3、Ｙ4は、互いに独立に、化学結合、−Ｏ−、−Ｓ−、−ＣＯ−Ｏ−、−Ｏ−ＣＯ−、−Ｏ−ＣＯ−Ｏ−、−ＣＯ−Ｓ−、−Ｓ−ＣＯ−、−ＣＯ−Ｎ（Ｒa）−、−Ｎ（Ｒ3）−ＣＯ−、−Ｎ（Ｒa）−ＣＯ−Ｏ−、−Ｏ−ＣＯ−Ｎ（Ｒa）−、−Ｎ（Ｒa）−ＣＯ−Ｎ（Ｒa）−、−ＣＨ2−Ｏ−、−Ｏ−ＣＨ2−、好ましくは−ＣＯ−Ｏ−、−Ｏ−ＣＯ−または−Ｏ−ＣＯ−Ｏ−（ここで、Ｒaは水素またはＣ1−Ｃ4−アルキル基を表す）を表し、
Ａ1、Ａ2は、直鎖Ｃ2−Ｃ30−アルキレン基、好ましくは、酸素、硫黄および／または場合により単置換された窒素によって中断されていてよいＣ2−Ｃ12−アルキレン基（ここで、これらの中断基は隣接していてはならず、好適なアミン置換基はＣ1−Ｃ4−アルキル基を含み、アルキレン鎖はフッ素、塩素、臭素、シアノ基、メチル基またはエチル基によって置換されていてよい）から選択された同一のまたは異なったスペーサを表し、特に好ましくはＡ1およびＡ2は−（ＣＨ2）ｎ−（ここでｎ＝２〜６である）を表し、
ｖおよびｗは、互いに独立に、０、１または２を表し、
Ｍはメソゲン基、好ましくは、一般式ＩＩ
（Ｔ1−Ｙ5）y−Ｔ2  （ＩＩ）
［式中、
いずれのＴ1も独立に、２価の脂環式基、飽和または部分不飽和のへテロ環式基、芳香族基またはヘテロ芳香族基を表し、
Ｔ2は独立に、Ｔ1と同様に定義され、
Ｙ5は同一のまたは異なった架橋構造−ＣＯ−Ｏ−、−Ｏ−ＣＯ−、−ＣＨ2−Ｏ−、−Ｏ−ＣＨ2−、−ＣＯ−Ｓ−、−Ｓ−ＣＯ−、−ＣＨ2−Ｓ−、−Ｓ−ＣＨ2−、−ＣＨ＝Ｎ−、−Ｎ＝ＣＨ−、−ＣＨ＝Ｎ−Ｎ＝ＣＨ−、−Ｃ≡Ｃ−、−ＣＨ＝ＣＨ−、−Ｃ（ＣＨ3）＝ＣＨ2、−ＣＨ＝ＣＨ（ＣＨ3）−または直接結合、好ましくは−ＣＯ−Ｏ−または−Ｏ−ＣＯ−を表し、
ｙは０〜３の整数、好ましくは０、１または２、とりわけ１または２、特に２を意味する］のメソゲン基を意味する］に一致している。